(57)【要約】【課題】貼り付け作業性の良い柔軟性部材の貼着構造を提供する。【解決手段】開口穴１７を有する下ケース１０（第１の部材）と、この開口穴１７に挿通されたコネクタ１２（第２の部材）と、このコネクタ１２を挿通させる挿通穴２１を有し下ケース１０とコネクタ１２との隙間を塞ぐパッキン１９（柔軟性部材）とを備え、パッキン１９が粘着テープ１８（粘着材）を介して下ケース１０に貼り付けられ、挿通穴２１を取り巻く内周領域に開口穴１７に向けてその素地を露出させる露出部２２を有する。【選択図】　図１
2004063937.tif 000002
【特許請求の範囲】
【請求項１】
開口穴を有する第１の部材と、この開口穴に挿通された第２の部材と、この第２の部材を挿通させる挿通穴を有し前記第１の部材と前記第２の部材との隙間を塞ぐ柔軟性部材とを備え、前記柔軟性部材が粘着材を介して前記第１の部材に貼り付けられ、前記挿通穴を取り巻く内周領域に前記開口穴に向けてその素地を露出させる露出部を有することを特徴とする柔軟性部材の貼着構造。
【請求項２】
平面部から突出した凸部を有する部材と、この凸部を挿通させる挿通穴を有し前記凸部周囲の前記平面部に貼り付けられる柔軟性部材とを備え、前記柔軟性部材が粘着材を介して前記平面部に貼り付けられ、前記挿通穴を取り巻く内周領域に前記平面部に向けてその素地を露出させる露出部を有することを特徴とする柔軟性部材の貼着構造。
【発明の詳細な説明】
【０００１】
【発明の属する技術分野】
本発明は、部材に貼り付けられる柔軟性部材の貼着構造に関するものである。
【０００２】
【従来の技術】
図４に車両用計器の断面を示す。計器は、硬質な回路基板１と、この回路基板１の表面側に回路基板１と導通状態で装着され、回動軸２を有する例えば速度計用の計器本体３と、回動軸２の先端側に固着された指示部４を有する指針５と、この指針５の後方に配置され指示部４の動作に対応する目盛，数字などの表示部（図示せず）を施した表示板６と、回路基板１に装着され指針５の指示部４や表示板６を照明する光源としてのランプ７と、表示板６と計器本体３との背後に配置されランプ７の光を指示部４に導く無色透明な導光板８と、表示板６と回路基板１との間に配置された合成樹脂からなる白色の中ケース９と、これらの部品が収納される前面が開口された合成樹脂製の下ケース１０と、指針５や表示板６などの前方側を被う無色透明な透視板１１を備えている。
【０００３】
回路基板１には速度計用の計器本体３を駆動する図示しない電子部品などが実装されるとともに、裏面側には回路基板１に入力信号を取り込むための矩形のコネクタ１２が固着してある。このコネクタ１２は相手コネクタ１３と接続するための接続口を後方に向け、一体に設けられた取付部１４に回路基板１の表面側からねじ１５を用いて締め付けられているとともに、コネクタ１２内に内蔵された端子１６の一端を回路基板１に挿通させて半田付して電気的に接続させる。
【０００４】
コネクタ１２に対応した下ケース１０箇所には、コネクタ１２の周囲より少し大きめの開口穴１７が設けてあり、この開口穴１７からコネクタ１２が下ケース１０外に突出している。開口穴１７はコネクタ１２を挿通しやすくするために少し大きくしてあるもので、そのため、コネクタ１２の周囲に隙間Ｓが生じてしまう。この隙間Ｓから埃や水などが下ケース１０内に入らないように、粘着テープ１８付のパッキン１９が下ケース１０の外側に貼ってある（粘着テープ１８は両面粘着となっている）。このパッキン１９は予め下ケース１０に貼っておく。
【０００５】
計器は以下のようにして組み付けられる。コネクタ１２などが固着された回路基板１の表面側に中ケース９を配置する。次に、導光板８と表示板６と指針５が固着された計器本体３を回路基板１上に配置して、図示しないが、例えばねじを用いて計器本体３を回路基板１に固定する。その後、下ケース１０内に収納して、下ケース１０の裏面側からねじ１５Ａを用いて中ケース９に形成してある取付ボス２０にねじ締め固定する。そして、透視板１１を下ケース１０の開口側に被せ、詳細は図示しないが透視板１１周囲に形成した複数の係止片を下ケース１０の開口側周囲に形成した係合部に係合させて透視板１１を下ケース１０に固定する。
【０００６】
【発明が解決しようとする課題】
パッキン１９はコネクタ１２を挿通した状態で隙間Ｓを塞ぐためのものであるため、パッキン１９の挿通穴２１がコネクタ１２に密接するようにするとともに、柔軟性を持たせてある。そのため、図５に示す様にパッキン１９が貼られた下ケース１０の開口穴１７にコネクタ１２が挿通される際、コネクタ１２の先端側壁に粘着テープ１８付パッキン１９が接触してしまい、作業性を悪化させるだけでなく、粘着テープ１８がコネクタ１２先端に粘着した状態でコネクタ１２を下ケース１０の外側方向（図５中、下側）に移動させると、パッキン１９が下ケース１０から捲れてしまう虞がある。
【０００７】
これは、コネクタ１２が開口穴１７に挿通される際、開口穴１７の中心（パッキン１９の中心でもある）に対してコネクタ１２が位置ズレして粘着テープ１８がコネクタ１２先端に粘着する場合と、パッキン１９を下ケース１０に貼る際にパッキン１９の位置がずれてしまい、同様に粘着テープ１８がコネクタ１２先端に粘着する場合などによる。あるいは、コネクタ１２とパッキン１９との間に隙間が生じないようにパッキン１９の内径をコネクタ１２の外径より僅かに小さくしておく場合もあり、その場合も同様な現象が発生する。
【０００８】
この様な点を改善するために、下ケース１０の開口穴１７にコネクタ１２を挿通した後（計器組み付け後）、粘着テープ１８付のパッキン１９をコネクタ１２周囲の下ケース１０に貼るという方法もあるが、粘着テープ１８がコネクタ１２の側壁に粘着してしまうことがあり作業性が大変悪い。あるいは、パッキン１９の一箇所がコネクタ１２の側壁に貼り付けられた状態となっていると、反対側に隙間が生じ、その箇所から埃などが侵入するということも有り得る。
【０００９】
本発明はこの様な点に鑑みなされたもので、貼り付け作業性の良い柔軟性部材の貼着構造を提供することを目的とする。
【００１０】
【課題を解決するための手段】
本発明は前記課題を解決するため、開口穴を有する第１の部材と、この開口穴に挿通された第２の部材と、この第２の部材を挿通させる挿通穴を有し前記第１の部材と前記第２の部材との隙間を塞ぐ柔軟性部材とを備え、前記柔軟性部材が粘着材を介して前記第１の部材に貼り付けられ、前記挿通穴を取り巻く内周領域に前記開口穴に向けてその素地を露出させる露出部を有するものである。
【００１１】
また、平面部から突出した凸部を有する部材と、この凸部を挿通させる挿通穴を有し前記凸部周囲の前記平面部に貼り付けられる柔軟性部材とを備え、前記柔軟性部材が粘着材を介して前記平面部に貼り付けられ、前記挿通穴を取り巻く内周領域に前記平面部に向けてその素地を露出させる露出部を有するものである。
【００１２】
【発明の実施の形態】
本発明の柔軟性部材の貼着構造を適用した車両用の計器を実施形態として説明するが、従来例と基本的な構成は同じため、同一または相当箇所には同一符号を付し、その詳細説明は省略する。図１および図２は本発明の第１実施形態を示し、第１の部材を下ケース１０，第２の部材をコネクタ１２，柔軟性部材をパッキン１９として説明する。
【００１３】
粘着テープ１８付のパッキン１９がコネクタ１２周囲の下ケース１０の外側に貼ってあるが、本実施形態における粘着テープ１８は、パッキン１９の挿通穴２１を取り巻く内周領域の素地が開口穴１７に向けて露出するように予めパッキン１９に粘着されており、これにより開口穴１７に対応するパッキン１９の内周領域には粘着テープ１８の無い露出部２２が形成され、この露出部２２の大きさは開口穴１７の大きさにほぼ対応している。
【００１４】
従って、図２に示す様にパッキン１９が貼られた下ケース１０の開口穴１７にコネクタ１２が挿通される際、開口穴１７に対してコネクタ１２が位置ズレしていたとしても、パッキン１９の内周領域には粘着テープ１８が粘着されていないため、コネクタ１２の先端側壁にパッキン１９が接触してしまっても柔軟性を有するパッキン１９の素地部分が変形するのみで、貼り付け作業性の悪化やパッキン１９が下ケース１０から捲れてしまうということがない。
【００１５】
なお、位置ズレされて挿通されるコネクタ１２も、計器組み付け後（下ケース１０の裏面側からねじ１５Ａを用いて中ケース９に形成してある取付ボス２０にねじ締めした後）は、図１に示す様にコネクタ１２が開口穴１７のほぼ中央（パッキン１９の中心でもある）に定まるようになっている。
【００１６】
また、計器組み付け後に粘着テープ１８付のパッキン１９をコネクタ１２周囲の下ケース１０に貼る場合であっても、パッキン１９の内周領域には粘着テープ１８が粘着されていないため、パッキン１９がコネクタ１２の側壁に接触しても、従来の様に粘着テープ１８がコネクタ１２の側壁に粘着してしまってパッキン１９貼り付けの作業性が悪いということがない。また、パッキン１９がコネクタ１２の側壁に貼り付けられたままであるといった状態もなく、定められた位置に貼り付けが可能となる。
【００１７】
図３は本発明の第２実施形態を示す。指針５や表示板６などの前方側を被う無色透明な透視板１１（部材）は、表示板６の周囲に対応した平面部２３と、この平面部２３から前方に突出した凸部２４を有している。この様な計器は車体側のインストルメントパネル２５に取り付けられるようになっているが、インストルメントパネル２５と透視板１１の平面部２３との間には緩衝用としての柔軟性を有するパッキン１９Ａが装着されている。
【００１８】
このパッキン１９Ａは透視板１１の平面部２３に粘着テープ１８Ａを用いて貼り付けられている。本実施形態における粘着テープ１８Ａは、前記第１実施形態と同様に、パッキン１９Ａの挿通穴２１Ａを取り巻く内周領域の素地が平面部２３に向けて露出するように予めパッキン１９Ａに粘着されている。これにより、パッキン１９Ａの内周領域には平面部２３に対応して粘着テープ１８Ａの無い露出部２２Ａが形成されている。
【００１９】
この様な粘着テープ１８Ａ付パッキン１９Ａを透視板１１の平面部２３に貼り付ける際、パッキン１９Ａの内周領域には粘着テープ１８Ａが粘着されていないため、透視板１１の凸部２４を形成するための立ち上がり壁２６にパッキン１９Ａが接触してしまっても、柔軟性を有するパッキン１９Ａの素地部分が変形するのみで、粘着テープ１８Ａが立ち上がり壁２６に粘着してしまってパッキン１９Ａ貼り付けの作業性が悪かったり、パッキン１９Ａの一箇所が立ち上がり壁２６に貼り付けられたままの状態であるなどといった不具合がなく、貼り付け作業性が良く、品質的にも満足する貼着構造を提供できる。
【００２０】
なお、前記第２実施形態において、透視板１１の平面部２３にパッキン１９Ａを貼った以外は前記第１実施形態と同じため、その説明は省略した。また、各実施形態において粘着材として粘着テープ１８，１８Ａを用いたが、これに限定するものではなく、例えば、粘着性の物質を塗布しても良い。
【００２１】
【発明の効果】
以上詳述したように、本発明によれば、貼り付け作業性の良い柔軟性部材の貼着構造を提供することができる。
【図面の簡単な説明】
【図１】本発明を適用した車両用計器の第１実施形態を示す断面図。
【図２】同実施形態のコネクタの挿通状態を示す説明図。
【図３】本発明を適用した車両用計器の第２実施形態を示す断面図。
【図４】従来例が適用されている車両用計器の断面図。
【図５】同従来例のコネクタの挿通状態を示す説明図。
【符号の説明】
１　回路基板
１０　下ケース（第１の部材）
１１　透視板
１２　コネクタ（第２の部材）
１７　開口穴
１８，１８Ａ　粘着テープ（粘着材）
１９，１９Ａ　パッキン（柔軟性部材）
２１，２１Ａ　挿通穴
２２，２２Ａ　露出部
２３　平面部
２４　凸部
【図１】
2004063937.tif 000003
【図２】
2004063937.tif 000004
【図３】
2004063937.tif 000005
【図４】
2004063937.tif 000006
【図５】
2004063937.tif 000007